(57)【要約】      （修正有）【課題】給油タンクの重量検知の補正を自動でできる気化式燃焼装置を提供する。【解決手段】満タンの給油タンク２６が有る時の給油タンク重量検知手段３４の出力値Ｔを記憶値Ｆとして記憶し、本体に給油タンク２６が差し込まれた時、今回の出力値Ｔが記憶値Ｆよりも大きい時、記憶値Ｆをその時の出力値Ｔに更新して記憶し、記憶値Ｎから記憶値Ｆまでの範囲と、現在の出力値Ｔとから給油タンク２６の残油量を表示部に表示するので、前回満タンまで給油せずに本体内に給油タンク２６を差し込んでも、今回満タンまで給油して本体内に給油タンク２６を差し込めば、満タンの給油タンク２６が有る状態の時の記憶値Ｆを満タンの給油タンク２６が有る状態の時の出力値Ｔに自動的に近づけ、給油タンク残油量表示レベルの精度を向上させて正確な給油タンク残油量を表示部に表示できる。【選択図】図３
2020139687.tif 000002
【特許請求の範囲】
【請求項１】
本体と、燃焼部と、給油タンクと、給油タンク重量検知手段と、制御装置と、表示部とを備えた気化式燃焼装置に於いて、前記給油タンク重量検知手段は前記本体に差し込まれた前記給油タンクの重量を検出し、前記制御装置は、前記給油タンク無しの状態の時の前記給油タンク重量検知手段の出力値Ｔを記憶値Ｎとして記憶すると共に、満タン状態の前記給油タンクが有る状態の時の前記給油タンク重量検知手段の出力値Ｔを記憶値Ｆとして記憶し、前記本体に前記給油タンクが差し込まれた時、前記給油タンク重量検知手段の出力値Ｔが前記記憶値Ｆよりも大きい時、前記記憶値Ｆをその時の出力値Ｔに更新して記憶し、前記記憶値Ｎから前記記憶値Ｆまでの範囲と、現在の前記給油タンク重量検知手段の出力値Ｔとから前記給油タンクの残油量を前記表示部に表示することを特徴とする気化式燃焼装置。
【請求項２】
前記制御装置は、前記給油タンク検知手段が前記給油タンクが本体内に無しから有りになったのを検知した時、その時の出力値Ｔが前記記憶値Ｆよりも小さく、且つその時の出力値Ｔが予め記憶されている前記初期値ｆより大きい時、前記記憶値Ｆに補正係数ａを乗じた補正値Ｈと前記出力値Ｔとを比較し、前記出力値Ｔが前記補正値Ｈ以上の時は前記記憶値Ｆをその時の出力値Ｔに更新して記憶し、前記出力値Ｔが前記補正値Ｈ未満の時は前記記憶値Ｆを補正値Ｈに更新して記憶することを特徴とする請求項１記載の気化式燃焼装置。
【請求項３】
前記給油タンクが本体内にあるか否かを検知する給油タンク検知手段を備え、前記制御装置は、前記給油タンク検知手段が前記給油タンクが前記本体内に有りから無しになったのを検知した時、前記記憶値Ｎをその時の出力値Ｔに更新して記憶すると共に、前記給油タンク検知手段が前記給油タンクが本体内に無しから有りになったのを検知した時、その時の出力値Ｔが前記記憶値Ｆよりも大きい時、前記記憶値Ｆをその時の出力値Ｔに更新して記憶することを特徴とする請求項１又は２記載の気化式燃焼装置。
【発明の詳細な説明】
【技術分野】
【０００１】
この発明は、燃油を気化して燃焼させる気化式燃焼装置に関するものである。
【背景技術】
【０００２】
従来この種のものでは、燃油量が所定量以下に低下すると、警報を発すると共に、燃焼部の燃焼を自動的に停止させるものであった。（例えば、特許文献１参照）
【０００３】
又、燃油量が所定量以下に低下して燃焼部の燃焼が自動的に停止してしまう前に給油できるように、装置本体に脱着自在な給油タンク内の残油量を表示するものとして、装置に格納した給油タンクの重さを重量センサにて測定して表示するものがあり、前記重量センサを使用し、装置に格納した給油タンクの重さを測定して給油タンク内の残油量を表示するものとして、給油タンク内の液体燃料量が灯油量表示手段にて規定した重量のときにその重量に見合った適切な情報を提供可能にするために、予め暖房機の製造工程段階において、給油タンク内に液体燃料が満量詰め込まれたときのその荷重を重量検知装置に読み取らせ、その重量検知装置からの信号を調整設定装置を介して記憶装置に記憶させておき、実際の暖房機使用時において、記憶装置に記憶させておいたデータに基づいて中央制御装置で計算した情報を灯油量表示手段に出力するものがあった。（例えば、特許文献２参照）
【０００４】
又、予め給油タンクそのものの重量が記憶され、重量センサからのセンサ信号を入力して液体燃料の残量に相当する残量信号を記憶されている給油タンクそのものの重量に基づいて補正するものがあった。（例えば、特許文献３参照）
【先行技術文献】
【特許文献】
【０００５】
【特許文献１】実用新案登録第２５８８１６９号公報
【特許文献２】特開平１１−９４２４７号公報
【特許文献３】特開昭６４−８４０１６号公報
【発明の概要】
【発明が解決しようとする課題】
【０００６】
ところでこの従来のものでは、予め暖房機の製造工程段階において、給油タンク内に液体燃料が満量詰め込まれたときのその荷重を重量検知装置に読み取らせ、その重量検知装置からの信号を調整設定装置を介して記憶装置に記憶させる工程等の重量センサの出力のばらつきを調整する工程又は、製造工程段階において、空の給油タンクそのものの重量を記憶させる工程が必要であった。
【課題を解決するための手段】
【０００７】
本発明は上記課題を解決するために、請求項１では、本体と、燃焼部と、給油タンクと、給油タンク重量検知手段と、制御装置と、表示部とを備えた気化式燃焼装置に於いて、前記給油タンク重量検知手段は前記本体に差し込まれた前記給油タンクの重量を検出し、前記制御装置は、前記給油タンク無しの状態の時の前記給油タンク重量検知手段の出力値Ｔを記憶値Ｎとして記憶すると共に、満タン状態の前記給油タンクが有る状態の時の前記給油タンク重量検知手段の出力値Ｔを記憶値Ｆとして記憶し、前記本体に前記給油タンクが差し込まれた時、前記給油タンク重量検知手段の出力値Ｔが前記記憶値Ｆよりも大きい時、前記記憶値Ｆをその時の出力値Ｔに更新して記憶し、前記記憶値Ｎから前記記憶値Ｆまでの範囲と、現在の前記給油タンク重量検知手段の出力値Ｔとから前記給油タンクの残油量を前記表示部に表示するものである。
【０００８】
また、請求項２では、前記請求項１に於いて、前記制御装置は、前記給油タンク検知手段が前記給油タンクが本体内に無しから有りになったのを検知した時、その時の出力値Ｔが前記記憶値Ｆよりも小さく、且つその時の出力値Ｔが予め記憶されている前記初期値ｆより大きい時、前記記憶値Ｆに補正係数ａを乗じた補正値Ｈと前記出力値Ｔとを比較し、前記出力値Ｔが前記補正値Ｈ以上の時は前記記憶値Ｆをその時の出力値Ｔに更新して記憶し、前記出力値Ｔが前記補正値Ｈ未満の時は前記記憶値Ｆを補正値Ｈに更新して記憶するものである。
【０００９】
また、請求項３では、前記請求項１又は請求項２に於いて、前記給油タンクが本体内にあるか否かを検知する給油タンク検知手段を備え、前記制御装置は、前記給油タンク検知手段が前記給油タンクが前記本体内に有りから無しになったのを検知した時、前記記憶値Ｎをその時の出力値Ｔに更新して記憶すると共に、前記給油タンク検知手段が前記給油タンクが本体内に無しから有りになったのを検知した時、その時の出力値Ｔが前記記憶値Ｆよりも大きい時、前記記憶値Ｆをその時の出力値Ｔに更新して記憶するものである。
【発明の効果】
【００１０】
この発明の請求項１によれば、前記給油タンク重量検知手段は前記本体に差し込まれた前記給油タンクの重量を検出し、前記制御装置は、前記給油タンク無しの状態の時の前記給油タンク重量検知手段の出力値Ｔを記憶値Ｎとして記憶すると共に、満タン状態の前記給油タンクが有る状態の時の前記給油タンク重量検知手段の出力値Ｔを記憶値Ｆとして記憶し、前記本体に前記給油タンクが差し込まれた時、前記給油タンク重量検知手段の出力値Ｔが前記記憶値Ｆよりも大きい時、前記記憶値Ｆをその時の出力値Ｔに更新して記憶し、前記記憶値Ｎから前記記憶値Ｆまでの範囲と、現在の前記給油タンク重量検知手段の出力値Ｔとから前記給油タンクの残油量を前記表示部に表示するので、前回給油時に満タンまで給油せずに本体内に給油タンクを差し込んでも、今回満タンまで給油して本体内に給油タンクを差し込めば、満タンの給油タンクが有る状態の時の記憶値Ｆを満タンの給油タンクが有る状態の時の出力値Ｔに自動的に近づけることができ、給油タンク残油量表示レベルの精度を向上させて正確な給油タンク残油量を表示部に表示できるものである。
【００１１】
また、請求項２によれば、前記給油タンク検知手段が前記給油タンクが本体内に無しから有りになったのを検知した時、その時の出力値Ｔが前記記憶値Ｆよりも小さく、且つその時の出力値Ｔが最初の記憶値Ｆとして予め記憶されている記初期値ｆより大きい時、前記記憶値Ｆに一定の補正係数ａを乗じた補正値Ｈと前記出力値Ｔとを比較し、前記出力値Ｔが前記補正値Ｈ以上の時は前記記憶値Ｆをその時の出力値Ｔに更新して記憶し、前記出力値Ｔが前記補正値Ｈ未満の時は前記記憶値Ｆを補正値Ｈに更新して記憶するので、定格の満タンよりも多い給油量を前回給油し、今回は定格の満タン給油量を給油した場合は、前記記憶値Ｆを補正値Ｈに更新して記憶することで補正を行い、今回の給油量が前回の給油量と補正値Ｈの間の給油量の場合は、前記記憶値Ｆを今回の給油量である前記出力値Ｔに更新して記憶することで補正を行い、満タンではあるものの前回より給油量が少ない場合でも、給油タンク残油量表示レベルの精度を向上させて正確な給油タンク残油量を表示部に表示できるものである。
【００１２】
また、請求項３によれば、前記給油タンクが本体内にあるか否かを検知する給油タンク検知手段を備え、前記制御装置は、前記給油タンク検知手段が前記給油タンクが前記本体内に有りから無しになったのを検知した時、前記記憶値Ｎをその時の出力値Ｔに更新して記憶すると共に、前記給油タンク検知手段が前記給油タンクが本体内に無しから有りになったのを検知した時、その時の出力値Ｔが前記記憶値Ｆよりも大きい時、前記記憶値Ｆをその時の出力値Ｔに更新して記憶するので、前記給油タンクの給油を行う度に前記記憶値Ｎから前記記憶値Ｆまでの範囲を最新にして給油タンク残油量表示レベルの精度を向上させて正確な給油タンク残油量を表示部に表示できるものである。
【図面の簡単な説明】
【００１３】
【図１】この発明の一実施例を付した気化式燃焼装置を示す斜視図。
【図２】同要部断面図。
【図３】同要部構成図。
【図４】同制御回路のブロック図。
【図５】同フローチャート図。
【発明を実施するための形態】
【００１４】
次に、本発明に係る発明の１実施形態を図面に基づいて説明する。
１は屋内に設置される気化式燃焼装置を構成する本体で、本体１内部に気化バーナからなる燃焼部２と、この本体１の作動を制御するマイコンを主体として構成された制御装置３と、本体１背面開口部の対流用送風機４と、本体１前面の温風吹出口５と、本体１前面側上部の操作部６とを備えているもので、燃焼部２での燃焼排気ガスを対流用送風機４により温風吹出口５から室内に吹き出すことで暖房を行うものである。
【００１５】
前記燃焼部２は、複数の炎孔を有したバーナヘッド７の下部に加熱ヒーター８を有した気化部９を備えて構成され、加熱ヒーター８によって加熱された気化部９内に油受け皿１０から容積型の電磁ポンプ１１の駆動で送油ノズル１２を通じて液体燃料を供給し、この液体燃料が気化した気化ガスと燃焼用送風機１３から送風路１４を通じて供給される燃焼用空気との混合ガスを前記バーナヘッド７の炎孔で燃焼させ、また燃焼中は前記気化部９の上端に複数の炎孔に対向する如く備えた環状の熱回収リング１５によって炎から熱回収を行い加熱ヒーター８の通電を低減しているもので、ターンダウン比が広く静かな気化燃焼を行うものである。
【００１６】
前記操作部６には、運転の開始／停止を指令するための運転スイッチ１６と、室温上昇スイッチ１７と室温下降スイッチ１８とにより構成され所望の室温を設定する室温設定手段１９と、残油量表示スイッチ２０やタイマースイッチや延長スイッチなどの各種の操作スイッチと、時刻や設定室温や残油量を表示する表示部２１が設けられている。
【００１７】
２２は前記加熱ヒーター８で加熱される気化部９の温度を検知する気化温度センサで、前記制御装置３はこの気化温度センサ２２の検知温度が所定の上限温度になると前記加熱ヒーター８をオフし、また所定の下限温度になると前記加熱ヒーター８をオンして気化部９の温度を液体燃料が良好に気化できる温度範囲内に保持する。
【００１８】
又前記制御装置３は、運転スイッチ１６の運転指令により、前記気化温度センサ２２の検知温度を監視して、前記気化部９を液体燃料が気化可能な温度まで加熱ヒーター８により加熱し、気化部９の温度を燃焼に適する温度まで上昇させると前記電磁ポンプ１１及び燃焼用送風機１３を駆動開始し、点火装置２３により混合ガスに点火して燃焼を開始させて、本体１背面の対流用送風機４の近傍に設けられた室温センサ２４の検知室温と前記室温設定手段１９で設定された設定室温との偏差に応じて、前記電磁ポンプ１１及び燃焼用送風機１３を制御して燃焼火力を可変して前記室温設定手段１９で設定された室温になるように制御する。
【００１９】
２５は給油タンク検知手段で、給油タンク２６が本体１内にあるか否かを検知し、給油タンク２６を本体１に差し込むと給油タンク２６の側面に当接して閉成し、給油タンク２６を本体１から抜き取ると開成する開閉スイッチで構成され、運転中にタンク検知手段２５が本体１から給油タンク２６が抜き取られたのを検知すると、制御装置３は運転を停止するものである。
【００２０】
前記給油タンク２６が本体１内に挿入されると、前記給油タンク２６先端の口金２７が油受け皿１０に形成されているタンク挿入口２８に挿入される。
前記タンク挿入口２８には燃油内に混入したゴミなどの不純物をろ過する油フィルタ２９が配置されていて、油フィルタ２９内に前記給油タンク２６の口金２７を挿入することで油受け皿１０に前記給油タンク２６を載置するようになっている。
【００２１】
そして前記油フィルタ２９内の中央にはピン３０が突出形成されており、前記給油タンク２６を装着するとこのピン３０が前記給油タンク２６の口金２７に設けられた燃油吐出口３１を開口させるので、前記給油タンク２６内の燃油が油フィルタ２９を介して油受皿１０内に供給される。
【００２２】
そして、油受皿１０内の液面が上昇して燃油吐出口３１まで達すると、前記給油タンク２６からの燃油の供給が停止するので、これを繰り返すことにより油受皿１０には常に一定量の液体燃料が貯留されるようになっているものである。
【００２３】
３２はフロートスイッチからなる油量検知手段で、給油タンク２６からの燃油を一旦貯留する油受け皿１０内の燃油が所定量以下になったことを検知するものである。
３３はタイマー手段で、所定時間をカウントするものである。
【００２４】
３４は給油タンク重量検知手段で、前記油受け皿１０のタンク挿入口２８周辺に設けられ、前記給油タンク２６をファンヒータの本体１に差し込むと前記給油タンク２６先端の口金２７が前記油受け皿１０のタンク挿入口２８に位置するが、この時、前記給油タンク２６が前記給油タンク重量検知手段３４に当接して、前記給油タンク２６の重量が給油タンク重量検知手段３４にかかり、そのかかった重量によって給油タンク重量検知手段３４の出力値が変化するものである。
【００２５】
次にこの一実施形態の作動について図５のフローチャート図により説明する。
まず、給油タンク検知手段２５がファンヒータの本体１内に給油タンク２６が有るのを検知している状態から、本体１内に給油タンク２６が無いと検知した状態に変化した時（Ｓ１）、前記制御装置３は、前記給油タンク２６無しの状態の時の記憶値Ｎを、現在の給油タンク重量検知手段３４の出力値Ｔに更新して記憶する（Ｓ２）。
【００２６】
次に（Ｓ１）で本体１内に給油タンク２６が有るのを検知している状態から、本体１内に給油タンク２６が無いと検知した状態に変化しない時、又は、（Ｓ２）で前記給油タンク２６無しの状態の時の記憶値Ｎを、現在の給油タンク重量検知手段３４の出力値Ｔに更新して記憶した後、給油タンク検知手段２５がファンヒータの本体１内に給油タンク２６が無いのを検知している状態から、本体１内に給油タンク２６が有ると検知した状態に変化した時（Ｓ３）、現在の給油タンク重量検知手段３４の出力値Ｔと、満タンの給油タンク２６が有る状態の時の記憶値Ｆとを比較し、現在の給油タンク重量検知手段３４の出力値Ｔが満タンの給油タンク２６が有る状態の時の記憶値Ｆ以上の時（Ｓ４）、次に現在の給油タンク重量検知手段３４の出力値Ｔが予め前記制御装置３が記憶している満タンの給油タンク２６が有る状態の時の上限値Ｕとを比較し、前記出力値Ｔが前記上限値Ｕ以下の時（Ｓ５）、前記記憶値Ｆを、現在の給油タンク重量検知手段３４の出力値Ｔに更新して記憶する（Ｓ６）。
【００２７】
この上限値Ｕは、満タンの給油タンク２６を本体１内に差し込んだ時の上限値、つまり満タンの給油タンク２６を本体１内に差し込んだ時に、給油タンク重量検知手段３４の出力値Ｔがこの値よりも大きくならない値が上限値であり、現在の給油タンク重量検知手段３４の出力値Ｔがこの上限値である上限値Ｕを越える場合は、給油タンク２６を本体１内に差し込んだ際、手で給油タンク２６を押して差し込んだり、勢いをつけて差し込んだ場合と判断するものである。
【００２８】
そして、（Ｓ６）で前記記憶値Ｆを、現在の給油タンク重量検知手段３４の出力値Ｔに更新して記憶した後、前記給油タンク２６無しの状態の時の記憶値Ｎから満タンの給油タンク２６が有る状態の時の記憶値Ｆまでの範囲を表示レベル数に分割して給油タンク残油量表示レベルを算出する（Ｓ７）。
【００２９】
そして、（Ｓ７）にて算出された給油タンク残油量表示レベルにより給油タンク残油量表示レベルを再設定し（Ｓ８）、現在の給油タンク重量検知手段３４の出力値Ｔをその給油タンク残油量表示レベルに照らし合わせて、現在の給油タンク残油量を表示部２１に表示するものである（Ｓ９）。
【００３０】
これにより、前回給油時に満タンまで給油せずに本体１内に給油タンク２６を差し込んだ場合、前回その満タンまで給油されていない給油タンク２６での給油タンク重量検知手段３４の出力値Ｔを満タンの給油タンク２６が有る状態の時の記憶値Ｆとして記憶しているが、今回満タンまで給油して本体１内に給油タンク２６を差し込めば、今回の給油タンク重量検知手段３４の出力値Ｔを満タンの給油タンク２６が有る状態の時の記憶値Ｆとして更新して記憶するので、前記記憶値Ｆを満タンの給油タンク２６が有る状態の時の出力値Ｔに自動的に近づけることができ、給油タンク残油量表示レベルの精度を向上させて正確な給油タンク残油量を表示部２１に表示できるものである。
【００３１】
又、（Ｓ４）で現在の給油タンク重量検知手段３４の出力値Ｔが満タンの給油タンク２６が有る状態の時の記憶値Ｆ未満の時、次に現在の給油タンク重量検知手段３４の出力値Ｔと、予め前記制御装置３が記憶している初期値ｆとを比較し、現在の給油タンク重量検知手段３４の出力値Ｔが前記初期値ｆ以上の時（Ｓ１０）、次に現在の給油タンク重量検知手段３４の出力値Ｔが、前記記憶値Ｆに１より小さい値に設定された補正係数ａを乗じた補正値Ｈ未満かを比較する（Ｓ１１）。
【００３２】
そして（Ｓ１１）で、現在の給油タンク重量検知手段３４の出力値Ｔが、前記記憶値Ｆに補正係数ａを乗じた補正値Ｈ未満の時、満タンの給油タンク２６が有る状態の時の記憶値Ｆを前記記憶値Ｆに補正係数ａを乗じた補正値Ｈに更新して記憶し（Ｓ１２）、（Ｓ７）へと進むものである。
【００３３】
ここで補正係数ａは定格の満タンよりも多い油量を前回給油した場合の補正を行うもので、例えば０．９や０．９５等の１より小さい一定の値が設定されているものである。
【００３４】
又、（Ｓ３）で給油タンク検知手段２５がファンヒータの本体１内に給油タンク２６が無いのを検知している状態から、本体１内に給油タンク２６が有ると検知した状態に変化しない時、又は、（Ｓ５）で前記出力値Ｔが前記上限値Ｕを越える時、又は、（Ｓ１０）で現在の給油タンク重量検知手段３４の出力値Ｔが満タンの給油タンク２６が有る状態の時の初期値ｆ未満の時、給油タンク残油量表示レベルを再設定せずに前回の設定のままとし（Ｓ１３）、（Ｓ９）へと進むものである。
【００３５】
これにより、給油時の給油タンク２６への給油量が増える度に、（Ｓ４）及び（Ｓ５）及び（Ｓ６）により前記満タンの給油タンク２６が有る状態の時の記憶値Ｆを、現在の給油タンク重量検知手段３４の出力値Ｔに更新して記憶するので、給油タンク２６への給油量が増えた場合の給油タンク残油量表示レベルを自動で調整できるものである。
【００３６】
又、前記給油タンク２６は、全容積の７０％から９０％給油した状態で定格の油量になるように設計されており、その状態を満タンとしているが、前回給油時に例えば給油タンク２６の全容積の９０％を越えて給油し、その給油タンク２６を本体１内に差し込んだ場合、定格の満タンよりも多い油量を満タンの油量として前記記憶値Ｆを更新して記憶し（Ｓ５）、それに基づいて表示レベル数に分割して給油タンク残油量表示レベルを算出し（Ｓ６）、次の給油時に定格の満タン状態、例えば給油タンク２６の全容積の９０％給油した給油タンク２６を本体１内に差し込んだ場合、給油タンク残油量表示レベルが前回のままのため、満タン表示しない場合がある。
【００３７】
そこで今回定格の満タン状態、例えば給油タンク２６の全容積の９０％給油した給油タンク２６を本体１内に差し込んだ場合、（Ｓ４）から（Ｓ１０）に進み、（Ｓ１０）で現在の給油タンク重量検知手段３４の出力値Ｔと、満タンの給油タンク２６が有る状態の時の初期値ｆとを比較する。
【００３８】
ここで初期値ｆは、満タンの給油タンク２６を本体１内に差し込んだ時の下限値、つまり満タンの給油タンク２６を本体１内に差し込んだ時に、給油タンク重量検知手段３４の出力のバラツキや給油タンク２６そのものの重量のバラツキ、燃油の温度による密度の変化などがあっても、給油タンク重量検知手段３４の出力値Ｔがこの値よりも小さくならない値であり、現在の給油タンク重量検知手段３４の出力値Ｔがこの下限値である初期値ｆ未満の場合は、給油時に満タンに給油せずに給油タンク２６を本体１内に差し込んだと判断し、（Ｓ１３）に進んで給油タンク残油量表示レベルを再設定せずに前回の設定のままとするので、例えば給油時に半分給油した給油タンク２６を本体１内に差し込めば、表示部２１の現在の給油タンク残油量の表示が半分の表示となり、満タンに給油していないのに満タンと誤表示してしまうのを防止できるものである。
【００３９】
又、（Ｓ１０）で現在の給油タンク重量検知手段３４の出力値Ｔがこの下限値である初期値ｆ以上の場合は、更に（Ｓ１１）に進み、（Ｓ１１）で現在の給油タンク重量検知手段３４の出力値Ｔが、前記記憶値Ｆに補正係数ａを乗じた補正値Ｈ未満の場合は、前回の給油が定格の満タンを越えて給油されたと判断して、（Ｓ１２）に進んで満タンの給油タンク２６が有る状態の時の記憶値Ｆを前記記憶値Ｆに補正係数ａを乗じた補正値Ｈに更新して記憶することで、前回の給油が定格の満タンを越えて給油されても、前記記憶値Ｆを定格の満タンの給油タンク２６が有る状態の時の出力値Ｔに自動的に近づけることができ、給油タンク残油量表示レベルの精度を向上させて正確な給油タンク残油量を表示部２１に表示できるものである。
【００４０】
又、（Ｓ１１）で現在の給油タンク重量検知手段３４の出力値Ｔが、前記記憶値Ｆに補正係数ａを乗じた補正値Ｈ以上の場合は、前回の給油が定格の満タンを越えて給油され、今回も定格の満タンを越えて給油されたものの前回よりも少なく給油されたと判断して、（Ｓ６）に進んで前記記憶値Ｆを、現在の給油タンク重量検知手段３４の出力値Ｔに更新して記憶することで、今回の給油が前回よりも少ないものの定格の満タンを越えて給油されたても、前記記憶値Ｆを定格の満タンの給油タンク２６が有る状態の時の出力値Ｔに自動的に近づけることができ、給油タンク残油量表示レベルの精度を向上させて正確な給油タンク残油量を表示部２１に表示できるものである。
【００４１】
以上のように、定格の満タンより少ない給油量から定格の満タンより多い給油量までが満タン状態であり、満タン状態といっても幅があるものの、今回の給油量に従って前記記憶値Ｆを更新して記憶し、それに基づいて表示レベル数に分割して給油タンク残油量表示レベルを算出するので、給油する度に満タンの給油量が増減しても給油タンク残油量表示レベルの精度を向上させて正確な給油タンク残油量を表示部２１に表示できるものである。
【符号の説明】
【００４２】
１  本体
２  燃焼部
３  制御装置
２１  表示部
２６  給油タンク
３４  給油タンク重量検知手段
【図１】
2020139687.tif 000003
【図２】
2020139687.tif 000004
【図３】
2020139687.tif 000005
【図４】
2020139687.tif 000006
【図５】
2020139687.tif 000007